(57)【要約】第１の特徴として、互換コアロックと置き換えるのに適した電子ロック（１２）は、ソレノイドコイル（２８０）と、このロック（１２）のシリンダ（２１４）の回転軸線（Ａ）に平行に長手方向に整列するプランジャ（２９０）とよりなるソレノイド組立体を有する。
2004521200.tif 000002
【特許請求の範囲】
【請求項１】
１対の細長のスローピンに連結したスローに使用する受容部に挿入するのに適した電子ロックにおいて、
(ａ)  シェル内に収容し、このシェルに対して長手方向軸線の周りに回転可能な細長のシリンダを具え、
(ｂ)  前記シェルは、固定部分と、及び突耳を有し、前記固定部分に対して相対回転可能であり、前記突耳によってロックが前記受容部から外れるのに抵抗を示す回転可能な保持部分とにより構成し、
(ｃ)  前記シリンダは、前記シリンダの回転に選択的に干渉することができる電気的に動作するロック機構を有し、このロック機構は、前記長手方向軸線に平行に整列する細長のソレノイド組立体を有する構成とし、
(ｄ)  前記ロックは、前記ロックを前記受容部に挿入するとき、前記１対の細長のスローピンのうちの少なくとも一方を収容する少なくとも１個の長手方向に整列した細長のキャビティを前記シリンダ内に画成するようにした
ことを特徴とする電子ロック。
【請求項２】
前記キャビティにより前記１対のスローピンの各々を収容するようにした請求項１記載の電子ロック。
【請求項３】
前記ロック機構は、更に、前記シェルに掛合して前記シリンダの回転を阻止する可動ロック部材を有し、前記ソレノイド組立体は、前記ロック部材との干渉掛合位置に入脱するソレノイドプランジャを有する構成とした請求項１記載の電子ロック。
【請求項４】
前記ロックを前記受容部に挿入したとき、前記ロック部材は前記スローピン間の位置をとる構成とした請求項３記載の電子ロック。
【請求項５】
前記細長のキャビティは、前記ソレノイド組立体と前記シリンダの内面との間に部分的に画成されるものとした請求項１記載の電子ロック。
【請求項６】
更に、前記ソレノイド組立体に対向して取り付けたマイクロプロセッサのための回路板を具え、前記細長のキャビティは前記ソレノイド組立体と前記回路板との間に画成されるものとした請求項５記載の電子ロック。
【請求項７】
前記ロックを前記受容部に収容したとき、前記スローピンは前記ソレノイド組立体に近接するものとした請求項１記載の電子ロック。
【請求項８】
前記ロックを前記受容部に挿入したとき、前記スローピンは前記ソレノイド組立体の前方の近傍まで延在する構成とした請求項１記載の電子ロック。
【請求項９】
前記ロックに、前記シェルの前記固定部分と前記回転可能な部分との間で動作する保持機構を設け、この保持機構により前記回転可能な部分の前記固定部分に対する回転を選択的に阻止する構成とした請求項１記載の電子ロック。
【請求項１０】
更に、他の細長のキャビティを具え、これら細長のキャビティの各々にそれぞれ前記１対のスローピンの各１個を収容する構成とした請求項１記載の電子ロック。
【請求項１１】
前記ロック機構が前記シリンダの回転を干渉するとき前記ソレノイドプランジャを少なくとも部分的に包囲する強磁性のエンクロージャを設けた請求項１記載の電子ロック。
【請求項１２】
前記シリンダを前記ホームポジションから回転するとき前記シリンダを前記ホームポジションに押圧するバイアス機構を設けた請求項１記載の電子ロック。
【請求項１３】
更に、アンチタンパー機構を設けた請求項１記載の電子ロック。
【請求項１４】
前記ロックのためのキーは、前記ロック機構のための電源を有する構成とした請求項１記載の電子ロック。
【請求項１５】
更に、キー保持機構を素子請求項１記載の電子ロック。
【請求項１６】
(ａ)  シェル内に収容し、かつこのシェルに対して相対回転可能なシリンダと、
(ｂ)  前記シリンダの回転に選択的に干渉することができ、ソレノイドプランジャを有するソレノイドを設けた電気的動作のロック機構であって、このロック機構が前記シリンダの回転に干渉するとき前記ソレノイドプランジャが第１位置をとり、前記シリンダが自由に回転するとき前記ソレノイドプランジャが第２位置をとる構成としたロック機構と、
(ｃ)  前記ソレノイドプランジャを収容する開口を有する強磁性のエンクロージャであって、前記ソレノイドプランジャが前記第２位置をとるとき前記ソレノイドプランジャの少なくとも一部を包囲するエンクロージャと
を具えたことを特徴とする電子ロック。
【請求項１７】
前記ソレノイドプランジャは、前記シリンダの前面に外部から加わる磁界が存在するときに、前記第１位置に向かって押圧される構成とした請求項１６記載の電子ロック。
【請求項１８】
前記シリンダは前記強磁性のエンクロージャの一部をなす構成とした請求項１６記載の電子ロック。
【請求項１９】
前記シリンダは、前記強磁性のエンクロージャに隣接して非強磁性の部分を設け、前記ソレノイドプランジャが前記第１位置をとるとき、前記ソレノイドプレートの少なくとも一部が前記非強磁性の部分内に収容される構成とした請求項１６記載の電子ロック。
【請求項２０】
前記ソレノイドプランジャが前記第２位置をとるとき、前記ソレノイドプランジャの少なくとも大部分が前記強磁性のエンクロージャ内に収容される構成とした請求項１６記載の電子ロック。
【請求項２１】
前記ソレノイドプランジャが前記第２位置をとるとき、前記ソレノイドプランジャの少なくとも７５％が前記強磁性のエンクロージャ内に収容される構成とした請求項２０記載の電子ロック。
【請求項２２】
更に、前記シリンダが前記ホームポジションから回転するとき前記シリンダをホームポジションに押圧するバイアス機構を設けた請求項１６記載の電子ロック。
【請求項２３】
更に、アンチタンパー機構を設けた請求項１６記載の電子ロック。
【請求項２４】
前記ロックのためのキーは前記ロック機構のための電源を設けた請求項１６記載の電子ロック。
【請求項２５】
更に、キー保持機構を設けた請求項１６記載の電子ロック。
【発明の詳細な説明】
【技術分野】
【０００１】
この出願は、優先権主張した２０００年１月２５日出願の出願番号第０９／４９１，４８８号の一部継続出願である。
【０００２】
本発明は、電子ロックに関するものである。
【背景技術】
【０００３】
電子ロックは全般的に機械的ロックよりも多くの利点がある。例えば、マイクロプロセッサ又はコンピュータと組み合わせて使用する電子ロックは日付、認証コード、又はプロセッサにプログラムに書き込むことができる他の要因によって電子ロックを制御するようプログラムすることができる。キーを紛失したときは、電子ロックを交換する代わりに、異なるキーで異なる認証コードを受け入れるよう電子ロックを再プログラムする。
【発明の開示】
【発明が解決しようとする課題】
【０００４】
しかし、電子ロックは多くの欠点もある。第１に、ロックは電源を必要とする点である。電源を例えば、バッテリの形式でロック内に設ける場合、電源はロック内の空間を占めることになり、ロックを大型化する。このようなバッテリは、ロックの内部部品に影響を与える腐食を生じ易い。更に、バッテリのパワーが消耗した場合、ロックはもはや機能しなくなる。更に、ロックは、周期的にバッテリ交換のために内部にアクセスしなければならない。標準の給電ラインから電力を供給することは一つの方法であるが、ロックに配線する必要がある。更に、このような配線は例えば、机又はキャビネットのような環境では利用できない。
【０００５】
また、電子ロックを既存の機械的ロックの代わりに据え付けることができるように、ロックはできるだけ小さいことが要求される。机又はキャビネットに使用される普通の機械的ロックは比較的小さい。従って、このようなロックが利用できる空間は制限され、ロックの内部に使用されるコンポーネントの寸法及び数も限定される。
【０００６】
特に、米国特許第３，２０６，９５９号及び同第５，１３６，８６９号明細書に記載のような置き換え可能な又は交換可能なコアを有する機械的ロックに取り替えることが好ましい。このようなロックは、「交換可能コア」ロックと称することがよくある。しかし、このような交換可能コアロックに使用される細長いスロー(throw）ピンに起因する問題が生ずる。ロックは、１対の細長いスローピンを受け入れることができなければならず、これらスローピンは、ロックを取り付けるボルトのような第２ロック機構を動かすのに使用される。細長のスローピン収容することは、ロック内での利用可能空間を更に制限することになる。
【０００７】
電子ロックの他の難点としては、激しい一撃に応答して開き易い点がある。典型的には、電子ロックはソレノイドを使用する。しかし、ソレノイドはソレノイドプランジャを震動させ、従って、ロックに激しい力が加わると、例えば、ハンマーでロックを打ちつけると電子ロックは開くことがよくある。
【０００８】
電子ロックに関連する他の問題は、プランジャを内部シリンダ及び外部シェルとの干渉関係に脱入移動させるのにソレノイドをよく使用する点である。このことは幾つかの問題を発生する。先ず、ソレノイド及びプランジャは、人がロックされているシリンダを回転しようと試みるとき、プランジャに加わる主要な力に耐える構造にしなければならない。他の問題は、プランジャを対応の孔に整列させるのが困難であるため、電子ロックをロックするのが困難である点である。プランジャが対応の孔に適正に整列しないと、プランジャは孔に進入することができず、シリンダの運動に干渉する。
【０００９】
他の難点としては、ロックは、外部から加わる磁界によって回転するのを防止しなければならない点である。ロックがスチール又は他の鉄を含む材料で形成した可動部分を有する場合、外部から大きな磁界をロックに加えることにより、キーなしでもロックを解除することができる。特に、ソレノイドを使用する場合、ソレノイドプランジャは、外部から加わる磁界によってロック位置から移動するのを防止しなければならない。
【００１０】
更に他の問題としては、ロックの回転中にキーが抜け出る電子ロックも幾つかある点である。このような場合、ロックが解錠した後に、シリンダを解錠位置に復帰させるのを忘れる。
【００１１】
従って、要望されることは、占有容積が小さく、（交換可能コアロックを含めて）既存の機械的ロックに付け替えることができ、ロックの内部に電源や外部配線が不要であり、（外部から加わる大きな磁界による不正行為も含めて）不正行為に応答して開くことがなく、一貫して確実にロックできる位置に復帰でき、操作中にキーが抜け出ることを防止することができる電子ロックである。
【００１２】
本発明は、従来技術の上述の欠点を克服する電子ロック装置を提供する。
【課題を解決するための手段】
【００１３】
本発明の第１の個別の発明は、細長のスローピンを使用する従来の互換コアロックに代えて代用することができる電子ロックを提供する。この電子ロックは、シリンダの長手方向の回転軸線に平行なソレノイド組立体を長手方向に指向させたロック機構を有する。このロックは、シリンダ内に細長のスローピンを収容することができる長手方向に整列した細長のキャビティを画成する。
【００１４】
本発明の第２の個別の発明は、外部磁界に抵抗する電子ロックシステムを提供する。この電子ロックは、強磁性のエンクロージャを有し、ロック機構がシリンダの回転に抵抗を示すとき、この強磁性のエンクロージャがソレノイドプランジャの少なくとも一部を包囲するものとする。外部から磁界が加わると、ソレノイドプランジャがエンクロージャから抜け出る方向に、ソレノイドプランジャがロックの解除に干渉するよう作用位置に向けてソレノイドプランジャを押し出す。
【００１５】
本発明の上述の及び他の特徴並びに利点を添付図面につき詳細に説明することによって一層容易に理解できるであろう。
【発明を実施するための最良の形態】
【００１６】
同一の符号を同一素子に付して説明する図面につき説明すると、図１、図２、図３は、ロック１２及びキー１８により構成する電子ロック装置１０の実施例を示す。ロック１２はシェル１６内で回転するシリンダ１４を有する。ボルト２０（仮想線で示す）をロック１２の後部に取り付ける。操作にあたり、キー１８を図３に示すようにロック１２に掛合する。キー１８及びロック１２は電気的に交信し、従って、認証されたキー１８がロック１２に掛合したとき、シリンダ１４はシェル１６内で回転する。シリンダ１４の回転によりボルト２０が移動し、ロックされた装置を解錠することができる。例えば、電子ロック装置１０を机の引き出しに使用する場合、シリンダ１４の回転により、机の引き出しを開けることができる位置にボルト２０を移動する。電子ロック装置１０をロックが必要な用途、例えば、ドア、窓、キャビネット、机、ファイリングキャビネット等に使用することができる。電子ロック装置１０は普通のボルト又はロックすべき物品を固定するのに使用される同等の装置に使用することができる。
【００１７】
［キー］
図２及び図１１は、本発明キー１８の実施例を示す。キー１８は、このキー１８のコンポーネントを収納する外部ハウジング２２を有する。キー１８の前方端部にはロック掛合ロッド２４を設ける。キー１８には、更に、環状ネック部２６を設け、このネック部２６にはロッド２４に対向する孔１３０を形成する。ハウジング２２内には、バッテリ２８、バッテリばね３０及びプリント回路基板３２を設ける。プリント回路基板にはマイクロプロセッサ、ＬＥＤ３６及びビーパ(beeper)３８を取り付ける。キー１８とロック１２との間の電気的接触は、絶縁体４２によって電気的に絶縁されたキーピン４０によって生ずるようにする。コイルばね４４によりピン４０を前方にロック１２に掛合させるよう押圧する。キーピン４０をマイクロプロセッサ及びバッテリ２８に電気的接続する。
【００１８】
絶縁体４２、ピン４０、プリント回路基板３２及びバッテリ２８の組合せは、ハウジング２２内でばね４６及びプラグ４８によってぴったりと保持する。ガスケット５０により、ポスト５２によってプラグに押し付けられているキー１８をシールする。キャップ５４はハウジング２２をシールする。トルク増大器５６をハウジング２２の周囲に装着し、キー１８の握り及び回転を容易にする。
【００１９】
キー１８の重要なコンポーネントとしては、バッテリ２８のような電源、ロック１２と交信するマイクロプロセッサがある。所要に応じて、機械的組立体と電気的接続構成にすることができる。例えば、ロック２４及び環状ネック部２６を示したが、他の機械的構成を使用して、クー１８をロック１２に掛合させて例えば、方形ペグのようなロックを回転することができるようにする。
【００２０】
［ロック］
図１及び図４〜図６にはロック１２の実施例を示す。図６はロック１２を長手方向に２等分割した断面図である。ロック１２は、シリンダ１４及びシェル１６により構成する。ロック１２は通常の機械的シリンダロックと交換できる寸法にする。テールピース５８（図６参照）をシリンダ１４の端部にボルト又はねじにより取り付ける。シリンダ１４の端部における１対の孔５９を設け、テールピースを取り付けるためのボルト又はねじを収容する。テールピース５８をボルト２０又はロックすべき物品の移動に干渉する他の普通のロック装置に連結する。例えば、ロックを机の引き出しに使用するとき、ボルト２は机に対して引き出しが移動するのを阻止する。シェル１６は任意の普通の材料、例えば真ちゅうで形成し、シェル１６の円筒形部分から突出する止め板６０を設ける。この止め板６０は、例えば、机の引き出しのようなロックすべき装置のスロット内に嵌合し、シェル１６が装置に対して回転するのを防止する。Ｏリング６２及びバックシール６３を使用してシェル１６の内部をシールし、ほこりや他の汚染体がシェル１６の内部に侵入し、ロック１２のコンポーネントが損傷するのを防止する。ねじ付きリテーナ６４をシリンダ１４のねじ付き後方部分６６にねじ連結する。シリンダ１４とシェル１６との間の張力はリテーナ６４を締め付けることにより調整することができ、従って、シリンダ１４がシェル１６内において回転するし易さを制御する。
【００２１】
シリンダ１４は本体６８により構成し、この本体６８にはシリンダ１４の種々のコンポーネントを取り付ける。本体６８の前方部分には２個の孔７０を設け、これら孔７０の各々には電気接点７２を収納する。接点７２は絶縁体７４によって本体６８から絶縁する。電気接点７２には、ロック１２とキー１８との間に電気的接続を生ずるピン４０を収容し、キー１８がロック１２にパワーを供給し、キー１８及びロック１２が互いに交信することができるようにする。
【００２２】
プリント回路基板７６を本体６８の中心に取り付ける。プリント回路基板７６は、マイクロプロセッサ及びロック１２のためのメモリを有する。このプリント回路基板７６は、電気接点７２に電気的に接続する。
【００２３】
ソレノイド組立体をやはり本体６８に取り付ける。このソレノイド組立体はフレーム７８を有し、このフレーム７８にソレノイドコイル８０を取り付ける。コイル８０を本体６８の後方部分に形成した孔８２に整列させる。ソレノイド組立体には、更に、タンパ素子８６、タンパばね８８、ソレノイドプランジャ９０と、ソレノイドばね９２及びソレノイドポール９４を収納するチューブ８４を設ける。組み合わせたチューブ８４を孔８２に挿入し、チューブ８４の下方部分及びソレノイドポール９４がソレノイドコイル８０内に位置するようにする。チューブ８４を真ちゅう又は他の何らかの非鉄材料により構成する。このチューブ８４を孔８２の内部にロックリング９６を使用して保持する。このロックリング９６は本体６８の後方部分に形成した環状溝９８内、及びチューブ８４の端部に形成した他の溝に嵌合する。ドリルガード１０１を本体６８の前方部分とソレノイドフレーム７８との間に取り付け、ソレノイド組立体がドリルで孔を開けられないよう保護する。
【００２４】
本体６８には、更に、本体６８の孔８２及びチューブ８４の孔８５に直交しかつ連通する孔１０２を設ける。特に図６につき説明すると、孔１０２内には、丸みのあるヘッド部分１０６及び下方ロッド部分１０８を有するピン１０４を収容する。孔１０２は丸みのあるヘッド部分１０６を収容する寸法の上方部分１０２Ａと、下方ロッド部分１０８を収容する寸法の小さい直径の下方部分１０２Ｂを有する。ばね１１０を上方孔部分１０２Ａに嵌合させる。ばね１１０は下方孔部分１０２Ｂより幅広にし、ピン１０４が孔１０２内に移動するときピン１０４の丸みのあるヘッド部分１０６によってばね１１０が圧縮されるようにする。このようにして、ばね１１０はピン１０４を孔１０２から押し出す方向に向けて押圧する。
【００２５】
次に図７につき説明すると、シェル１６はキャビティ１１２を画定し、このキャビティ１１２は、シリンダ１４をシェル１６内でロックされたホームポジションにあるとき、孔１０２と連通する。キャビティ１１２は、１対の互いに対向するカム面１１４Ａ，１１４Ｂによって画定される。キャビティ１１２はピン１０４のヘッド部分１０６の少なくとも一部を収容するに十分な大きさとする。
【００２６】
ソレノイド組立体、ピン１０４及びばね１１０は、シリンダ１４がシェル１６に対して回転するのを阻止又は干渉するのに使用するロック機構を構成する。図６はロック１２のロック状態を示す。このロック状態では、ソレノイドコイル８０には何ら電力は供給されない。ソレノイドばね９２はプランジャ９０をポール９４から遠ざかる方向に押圧する。このとき、プランジャ９０は孔８５の下方のチューブ８４内の空間を占める。ピン１０４の丸みのあるヘッド部分１０６はシェル１６のキャビティ１１２内に位置する。シリンダ１４がシェル１６に対して回転しようとする場合、ピン１０４の丸みのあるヘッド部分１０６がカム面１１４Ａ又は１１４Ｂのうちの一方に掛合する。このカム面１１４Ａ又は１１４Ｂは丸みのあるヘッド部分１０６を孔１０２の方向に下方に押圧しようとする。しかし、プランジャ９０がピン１０４の下方の空間を占めているため、丸みのあるヘッド部分１０６は孔１０２内に完全に入り込むのを阻止される。従って、ロック状態では、ピン１０４の丸みのあるヘッド部分１０６がカム面１１４Ａ及び１１４Ｂのうちの一方に掛合するため、シリンダ１４はシェル１６に対して回転することができない。
【００２７】
ピン１０４のようなロック部材、及びソレノイドプランジャ９０のような干渉部材を使用することにより、ロック部材は大きな主要な力に耐えることができる設計とするとともに、干渉部材は大きな直接的な力を受けないようにすることができる２部分構成のシステムを使用する利点が得られる。
【００２８】
図９は電子ロック１０の解錠状態を示す。このとき電力がソレノイドコイル８０に供給される。これに応答してソレノイドプランジャ９０はソレノイドコイル８０内に引っ込み、またポール９４に接触する。チューブ８４内でのプランジャ９０の移動によりチューブ８４の開口１１６が孔８５に連通する。この開口１１６はピン１０４の下方ロッド部分１０８の一部を収容するに十分な大きさを有するものとする。このようにして、シリンダ１４がシェル１６に対して回転しようとするとき、ピン１０４の丸みのあるヘッド部分１０６がカム面１１４Ａ，１１４Ｂのうちの一方に掛合し、下方ロッド部分１０３は開口１１６内に進入するよう押圧される。例えば、シリンダ１４が回転し、ヘッド部分１０６がカム面１１４Ａに掛合する場合、カム面１１４Ａはピン１０４を押し込んでばね１１０を圧縮させ、ヘッド部分１０６は孔１０２内に完全に入り込ませ、また下方ロッド部分１０８が部分的に開口１１６内に進入する。これにより、シリンダ１４はシェル１６に対して自由に回転できる。このロック機構は、電子ロック装置１０に大きな利点を与える。ロック１２のロックコンポーネントのすべて、例えば、マイクロプロセッサ、ロック機構をシリンダ１４内に収容できる。従って、シリンダ１４がシェル１６に対して回転するとき、これらコンポーネントのそれぞれは、シリンダ１４内に完全に収容される。このことは、幾つかの利点がある。即ち、ロック１２を比較的小さくすることができ、また従来の機械的シリンダロックから代替できる寸法にすることができる。また、ロックは、ロック内での電源又は給電のための外部配線は不要である。更に、据え付けたロック１２が故障した場合に、ロック１２のシリンダ１４の部分をシェル１６を交換することなく交換することができる。
【００２９】
代案として、他の機械的装置を使用してロック機構を設けることができる。ピン１０４を使用する代わりに、異なる形状、例えば、バー、ラッチ、又はディスクのような他のロック部材を使用することができる。ロック部材は他の方法で移動できるようにすることもできる。例えば、ロック部材を軸線の周りに回動自在にし、回動したとき、一部がシリンダの回転に干渉するようにする。
【００３０】
図示の実施例では、シリンダの前方端面が、キー１８のネック部２６を収容する環状溝１２０を画定する。環状溝１２０の一方の側において、シリンダにこの環状溝１２０に連通する孔１２２を形成する。この孔１２２はキー１８のロッド２４を収容することができる。孔１２２及びロッド２４の整合は、キー１８がシリンダ１４に適正に整列することを確実にする。更に、ロッド２４は、孔１２２と整合して掛合したとき、キー１８のトルクをシリンダ１４に伝達することができ、これにより、キーピン４０を介して加わるトルクを最小限にすることができる。
【００３１】
本発明の他の特徴としては、電子ロック装置１０は、更に、独特な不正防止(anti-tamper）機構を有する点がある。通常の操作においては、タンパ(tamper)素子８６がチューブ８４の閉鎖端部に存在する。タンパ素子８６内のタンパばね８８はチューブ８４の内壁に摩擦掛合してタンパ素子８６がチューブ８４内で移動するのに抵抗を生ずる。このようにして、図９に示すように、電力がソレノイドコイル８０に供給されてプランジャ９０が引っ込むときでもタンパ素子８６は移動しない。このようにして、タンパ素子８６はピン１０４の開口１１６内への内方移動に干渉しない。しかし、図１０に示すように、急激な衝撃力がロック１２の前方に加わるとき、タンパ素子８６はシリンダが回転するのを防止する。ロック１２に加わる急激な力はプランジャ９０を慣性力によってコイル８０の内部に瞬間的に引っ込ませる。同じ慣性力は、タンパ素子８６をもチューブ８４に対して長手方向に移動させる。タンパ素子８６は、このようにして、チューブ８４の孔８５の下方の空間の位置をとり、シリンダ１４の回転の際にピン１０４が孔１０２内に押し込まれるのを防止する。ばね９２が急激な衝撃によって生ずる慣性力に打ち勝つとき、プランジャ９０及びタンパ素子８６は図６に示すロック状態の正常位置に復帰する。従って、本発明ロック装置１０は、急激な一撃でロック１２を打撃することによってロック１２が解錠するのを防止する。
【００３２】
本発明の他の特徴は、ロック１２が、ロック装置１０の信頼性を向上させるためホームポジションに向けてロックを押圧偏倚する偏倚機構を有する点である。図示の実施例では、ロック１２の「ホームポジション」はキャビティ１１２によって画定される。カム面１１４Ａ，１１４Ｂは頂点１１８で合流する。シリンダ１４の孔１０２が頂点１１８に整列するとき、シリンダ１４はホームポジションにある。シリンダ１４に外部トルクが加わらないとき、シリンダはヘッド部分１０６がキャビティ１１２内に進入し始めると自然ににホームポジションに復帰する。ばね１１０はヘッド部分１０６をカム面１１４Ａ，１１４Ｂに押し付ける。ヘッド部分１０６はこれらカム面１１４Ａ，１１４Ｂのうちの一方に掛合するとき、カム面１１４Ａ又は１１４Ｂはヘッド部分１０６を頂点１１８に向けて押圧し、これにより、シリンダ１４はホームポジションに向かう。ヘッド部分１０６が頂点１１８に達すると、均衡ポイントをとることになり、これがホームポジションとなる。同様に、シリンダ１４がこのホームポジションから回転するとき、偏倚機構はシリンダをホームポジションに復帰させようと押圧する。この偏倚機構はロック装置１０の他の利点である。ロック１２をロックするためにシリンダ１４をホームポジションに復帰回転させるとき、ロック装置１０のユーザーは、ばね１１０の圧縮によって生ずる移動に抗しての変化に基づいていつシリンダ１４がホームポジションに復帰したかを決定することができる。ホームポジションの位置をとるとき、シリンダがロックすべき適正位置にあることを知ってユーザーは確実にキーを外すことができる。
【００３３】
図示の実施例はロック機構を偏倚機構に組み合わせているが、偏倚機構はロック機構から分離することができる。従って、偏倚機構は、ばね、エラストマー又は他の偏倚装置によってシェルと掛合するよう押圧される別個の機械的部材とすることができる。代案として、偏倚機構はシェル内に配置し、シリンダに掛合するよう押圧されるものとすることができる。例えば、偏倚機構は、シェルに形成した孔内に収容したばね及びボールベアリングによって構成することができる。このような代案としての実施例では、ボールベアリングはシリンダ外面の窪み（ディンプル）に掛合し、この窪みがホームポジションを画定する。
【００３４】
本発明の他の別個の特徴においては、ロック装置１０がキー保持機構をなす点である。シリンダ１４には、シリンダ１４の長手方向軸線に直交する孔１２４を設け、この孔１２４を環状溝１２０に連通させる。孔１２４にはボールベアリング１２６を収容する。シェル１６は、シリンダ１４がホームポジションにあるとき孔１２４に連通するキャビティ１２８を画定する。ネック部２６には、ロッド２４に対向する孔１３０を設ける。ネック部２６を環状溝１２０に挿入するとき孔１３０は孔１２４に整列する。孔１３０は、ボールベアリング１２６が孔１３０内に収納される寸法とする。ネック部２６が先ず環状溝１２０内に挿入されると、ボールベアリング１２６は先ずキャビティ１２８内に押し上げられる。しかし、ネック部２６を環状溝１２０内に完全に挿入したとき、ボールベアリングは孔１２４及びネック部２６の孔１３０の内部に再び落下する。シリンダ１４が回転するとき、ボールベアリング１２６は孔１２４内に完全に着座し、シリンダ１４が回転するときシリンダ１４内に収容される。シリンダ１４がホームポジションを越えて回転したとき、ボールベアリング１２６はキー１８をシリンダ１４から抜き出すことを防止する。シェル１６の内面はボールベアリング１２６が孔１２４において上方に移動するのを防止し、従って、ロック部２６が環状溝１２０から抜け出るのを防止する。キー１８をシリンダ１４から離脱させることができる位置は、シリンダ１４がホームポジションに復帰し、従って、ボールベアリング１２６がキャビティ１２８に向かって上方に押し上げられたときのみであり、このときネック部２６を環状溝１２０から抜き出すことができる。従って、キー保持機構は、シリンダ１４がホームポジションに復帰しない限りは、キーがロック１２から抜け出るのを防止する利点をもたらす。このことにより、シリンダ１４は適正に整列し、シリンダ１４がシェル１６に対して回転することを阻止又は干渉するようロック機構をロックできるようになる。代案として、他のキー保持機構を使用してシリンダ１４をシェル１６に対して回転させるときにキー１８をシリンダ１４に保持するようにすることもできる。例えば、キーに突出タブを設け、この突出タブを収容する寸法の開口を有するスロット内に突出タブを収容させ、キーを回転させることができるが、タブが開口に整列するとき以外はキーが抜け出るのを防止するようにすることができる。
【００３５】
要約すると、本発明は幾つかの利点がある。ロック機構の操作に関するコンポーネント全体をシリンダ内に収容することによって、ロックシステムは極めて小さい容積内に適合するよう製造することができる。このようにして、電子ロックを、普通の機械的シリンダロックに代えて使用することができる。更に、据え付けたロックが故障した場合、ロック全体を交換することなしにシリンダを交換することができる。本発明は、ロック自体内に電源を使用する必要はない。従って、ロックは電源を収容することがないため小さくすることができ、また腐食するバッテリから生ずる腐食を受けることもない。更に、外部配線を介しての外部電源も不要である。このように、ロックはより簡単な構成となり、設置も一層容易となる。
【００３６】
図１５〜図２１には、図１５〜図１９に示すロック２１２、及び図２０〜図２１に示すキーよりなるロック装置の第２の実施例を示す。この第２実施例は、図１〜図９の実施例と同一の特徴を多く共有している。ロック２１２は、シリンダ２１４及びシェル２１６よりなる。ロック２１２は、一般的に「互換コア」又は「交換可能コア」と称されるほぼ図８の断面と同様の断面を有する普通の機械的シリンダロックにとって代わる寸法にする。このようなロックは、米国特許第３，２０６，９５９号及び同第４，２９４，０９３号に記載されている。
【００３７】
シリンダ２１４は、前方部分２６８と後方部分２６９とよりなる。前方部分２６８及び後方部分２６９は、スナップリング２７９を使用して互いに連結し、このスナップリング２７９は前方部分及び後方部分の各溝２７３，２７５にそれぞれ嵌合する。このシリンダ２１４は、他のスプリットリング２１９によってシェル２１６内に保持し、このスプリットリング２１９は後方部分２６９の周りの環状溝２２１に取り付ける（図１６及び図１７参照）。
【００３８】
前方部分２６８は、それぞれ絶縁体２７４によって包囲された電気接点２７２を収容する２個の孔２７０を設けた鼻状部２６７を有する。図１〜図９に示す実施例と同様に、電気接点２７２は、キー（図２１参照）からのピン２４０に掛合又は接触してロック２１２とキー２１８との間の電気的接続を生じ、キー２１８がロック２１２にパワーを与え、またキー２１８とロック２１２とが互いに通信し合うことができるようになる。
【００３９】
プリント回路板２７６をシリンダ２１４内に取り付ける。図１〜図９の実施例と同様に、プリント回路板２７６はロック用マイクロプロセッサ２７７と、ロック用のメモリとを有する。このプリント回路板２７６を電気接点２７２に電気的に接続する。
【００４０】
ソレノイド組立体も前方部分２６８に取り付ける。ソレノイド組立体はソレノイドコイル２８０を有する。更に、ソレノイド組立体には、タンパー素子２８６、ソレノイドプランジャ２９０、ソレノイドばね２９２、及びソレノイド磁極２９４を収容するチューブ２８４を設ける。チューブ２８４をソレノイドコイル２８０内に挿入し、チューブ２８４の前方部分及びソレノイド磁極２９４をソレノイドコイル２８０内に配置する。チューブ２８４をプラスチックで形成する。ソレノイド磁極２９４は、鼻状部２６７に形成した孔２９５内にねじ掛合させ、キー２１８のための接地接点とする。
【００４１】
図１〜図９の実施例のように、後方部分２６９には、チューブ２８４に対して直交しかつ連通する孔３０２を設ける。特に、図１９を参照して説明すると、孔３０２内には、丸いヘッド部分３０６と、このヘッド部分３０６よりも直径が小さい下側ロッド部分３０８を有するピン３０４を収容する。ばね３１０を孔の上側部分３０２Ａに嵌合させる。ピン３０４は、図１〜図９の実施例のピン１０４と全く同じロック部材として機能する。
【００４２】
図１６及び図１９に示すように、シェル２１６は、シリンダ２１４をシェル２１６内に配置してホームポジション又はロックポジションにあるとき孔３０２に連通するキャビティ３１２を画成する。キャビティ３１２は、図１〜図９の実施例と同様に、１対の互いに対向するカム面（図示せず）によって画成する。キャビティ３１２は、ピン３０４のヘッド部分３０６の少なくとも一部を収容するのに十分な大きさとする。
【００４３】
ソレノイド組立体、ピン３０４、及びばね３１０は、全体として、シェル２１６に対してシリンダ２１４の回転を阻止又は干渉するのに使用されるロック機構を構成する。このロック機構は、図１〜図９に示す実施例のロック機構と同様に機能して、キー２１８又はロック２１２のいずれか一方からの信号に応答してシリンダ２１４をシェル２１６に対して選択的に回転可能にする。
【００４４】
ロック２１２は、更に、図１〜図９の実施例と同様のキー保持機構を設ける。図１９に示すように、シリンダ２１４には、シリンダ２１４の長手方向軸線に直交し、かつ玉軸受３２６を収容する鼻状部２６７の周りの溝３２０に連通する孔３２４を設ける。
【００４５】
図１５〜図２１の第２実施例は、シリンダ２１２の前面２１５に大きな磁界が加わるのに応答してロック２１２が解錠するのに抵抗することができるアンチ磁気の特徴を持たせる。図１６及び図１９を参照して説明すると、ロック２１２は、ソレノイドコイル２８０き後方に隣接し、かつシリンダ２１４の前方部分２６８の後端に位置決めするプレート２９７を有する。プレート２９７及びシリンダの前方部分２６８の双方は、変態した軟スチールのような強磁性材料から形成する。更に、鼻状部２６７を強磁性材料で形成する。プレート２９７、シリンダの前方部分２６８及び鼻状部２６７は、全体として強磁性エンクロージャを形成する。しかし、シリンダ２１４の後方部分２６９は、しんちゅうのような非強磁性材料から形成する。
【００４６】
プレート２９７は、ソレノイドプランジャ２９０を収容する開口２９９を有する。ソレノイドプランジャ２９０は、更に、強磁性材料から形成する。ソレノイドプランジャ２９０がピン３０４の下方移動に干渉するようにするため、ソレノイドプレート２９０の少なくとも一部がプレート２９７を通過して強磁性エンクロージャの外側に突出しなければならない。同様に、ソレノイドプランジャ２９０がピン３０４の下方移動を可能にするため、ソレノイドプランジャ２９０はエンクロージャの内側に後退しなければならない。
【００４７】
驚くべきことに、ソレノイドプランジャ２９０を少なくとも部分的に包囲する強磁性のエンクロージャは、外部から加わる磁界に応答してロック２１２が解錠するのに抵抗することを可能にする。プレート２９７が存在しないと、シリンダの端面２１５に外部から加わる大きな磁界によって、ソレノイドプランジャ２９０はソレノイドコイル２８０の内側に後退してしまう。このとき、シリンダ２１４は回転し、従って、ロックを解錠する。しかし、プレート２９７が存在すると、外部から加わる磁界は、ソレノイド２９０を強磁性のエンクロージャから押し出し、ピン３０４の下方移動に対して干渉する掛合を生ずる。特別な理論に固執するつもりはないが、磁界がエンクロージャ内で誘導され、ソレノイド組立体のための最低エネルギ状態が、ソレノイドプランジャ２９０をエンクロージャの外側に少なくとも部分的に位置決めすると考えられる。いかなる場合でも、大きな磁界は、ソレノイドプランジャ２９０をエンクロージャの外側に移動してピン３０４の下方移動に干渉する位置に押しやることによって、ロック機構はシリンダ２１４のシェル２１６に対する回転に抵抗することができる。
【００４８】
磁界が加わると、ソレノイドプランジャ２９０をエンクロージャから押し出すため、ソレノイドプランジャ２９０の少なくとも一部は、ロックを解除するためのエンクロージャ内に位置する。好適には、ソレノイドプランジャ２９０がピン３０４の下方移動を干渉しない位置に位置決めするため、ソレノイド２９０の少なくとも大部分はエンクロージャ内に位置し、好適には、ソレノイドプランジャ２９０の少なくとも７５％がエンクロージャ内部に位置し、より好適には、ソレノイドプランジャ２９０の少なくとも９０％がエンクロージャ内に位置するようにする。ソレノイドプランジャ２９０のより多くの部分がエンクロージャ内に存在してソレノイドプランジャ２９０がピン３０４の下方移動に干渉しないようにすることを必要とすることによって、外部磁界が加わることに応答してソレノイドプランジャ２９０をエンクロージャの外側に押しやる十分な力がソレノイドプランジャ２９０に加わることを確実にする。
【００４９】
同様に、ソレノイドプランジャ２９０は、シリンダ２１４の回転に干渉するためには、加わる磁界に応答して長手方向に短距離移動するだけで済むようにすることが望ましい。図１９に示すように、ソレノイドプランジャ２９０は、ソレノイドプランジャ２９０の全長の５％以下のごく短い距離だけエンクロージャから抜け出すだけでピン３０４の下方移動に干渉する。
【００５０】
本発明の他の発明によれば、図１５〜図１９の実施例におけるロックは米国特許第３，２０６，９５９号及び同第４，２９４，０９３号に記載のような普通の「互換コア」又は「交換可能なコア」にとって代わることができる。このようなロックは、標準の受容部に使用する。シェル２１６は、固定部分２１６ａと、回転部分２１６ｂとにより構成する。回転部分２１６ｂは突耳２１７を有する。回転部分２１６ｂは、固定部分２１６ａ及び回転部分２１６ｂの相互に連動する切欠き部分３０１，３０３によって制限された回転を生ずるように取り付ける。切欠き部分３０１，３０３は固定部分２１６ａに対する回転部分２１６ｂの回転の度合いを制限する。
【００５１】
回転部分２１６ｂは、突耳がシェル２１６の側面から突出する保持位置と、突耳が固定部分２１６ａにおける溝孔３０５収容される釈放位置との間で回転可能にし、この釈放位置ではロック２１２は受容部から抜き出すことができる。保持突耳を有するこの外形を有する互換コアは、この業界では標準になっており、パッドロック又はドアノブのような標準の受容部から簡単に取り外して交換することができる。
【００５２】
機械的互換コアロックに代えて電子ロックに適合させることの困難さは、１対の細長のスローピン３０７を有するスロー部材に関連して使用する点である。これらスローピン３０７は、シリンダ２１４内に収容して、図１７及び図１９に示すように、シリンダの大部分を占めるようにしなければならず、これが電気的コンポーネントが利用できる空間を制限することになる。本発明は、シリンダの長手方向の回転軸線に平行にソレノイド組立体を配置することによって、細長のスローピン３０７を収容する問題を解決している。図１８及び図１９に示すように、ソレノイド組立体は、シリンダ２１４の長手方向軸線Ａに平行に長手方向に指向し、ソレノイドプランジャ２９０はチューブ２８４内で長手方向に移動できる。ソレノイド組立体はシリンダ２１４の大部分を占めるが、ソレノイド組立体をシリンダ内で長手方向に整列させることによって、シリンダはスローピン３０７を収容するに十分な余地を有する。
【００５３】
図１８及び図１９に示すように、プリント回路板２７６をソレノイド組立体の上方に対向させて取り付け、シリンダ２１４の内面２１３、プリント回路板２７６、及びソレノイド組立体が全体として、細長のスローピン３０７を収容するためのシリンダ２１４内の細長いキャビティ３０９を画成する。使用にあたり、細長いスローピン３０７はキャビティ３０９内に収容する。キャビティ３０９は、図１９に示すように、プレート２９７からほぼソレノイド組立体の前面３１３まで延在する。シリンダは細長のキャビティを有するものとして示して説明したが、キャビティ３０９はシリンダ内部に細長いピンを収容するための１対のキャビティを有するよう仕切ることもできる。
【００５４】
ロック２１２の残りの部分も、やはりスローピン３０７を収容しうるように形成する。プレート２９７は、スローピン３０７を収容するよう両側に１対の開口３１５を設ける。同様に、シリンダ２１４の後方部分２６９は、スローピンを収容するための１対の孔３１７を設ける。シリンダ２１４の回転により、後方部分２６９をスローピン３０７に掛合させ、従って、シリンダ２１４の回転を第２ロック機構又は従来技術のようなスロー部材に伝達する。
【００５５】
ロック２１２は、ソレノイドプランジャに関連するピンとしてのロック部材を利用する利点を有し続け、従って、ソレノイドプランジャは大きな直接的な力を受けないようにできる。スローピン３０７を収容するため、ピン３０４はソレノイド組立体に直交させ、チューブ２８４の上方でシリンダ２１４の後方部分２６９内に配置する。従って、ピン３０４は、スローピン３０７を収容するシリンダの後方部分２６９の２個の孔３１７間に位置する。
【００５６】
図１〜図９の実施例と同様、ロック２１２のロック用コンポーネントのすべて、即ち、マイクロプロセッサ２７７及びロック機構をシリンダ２１４内に収容する。これらコンポーネントの各々は、シリンダ２１４がシェル２１６に対して回転するとき、完全にシリンダ２１４内に収容される。このようにして、このロックは、比較的小さいサイズの利点を享受し、なおかつ普通の機械的互換ロックにとって代わることができるよう１対の細長のスローピン３０７を収容することができる。更に、設置したロック２１２が故障した場合には、シェル２１６を交換することなしに、ロック２１２のシリンダ部分２１４を交換することができる。
【００５７】
特別な制御キーを使用して回転部分２１６ｂを回転させ、突耳を引っ込ませることができる。ロックは、回転部分２１６ｂの回転を防止する保持機構を有し、この保持機構は、回転部分２１６ｂに形成した溝孔３２１に掛合するピン３１９を有する。ピン３１９は、固定部分２１６ａに形成した孔３２３内に収容し、ばね３２５によって下方に押圧する。回転部分２１６ｂが回転して突耳２１７が保持位置をとるとき、溝孔３２１は孔３２３の下側の位置をとり、従って、ピン３１９が溝孔３２１内に押し込まれ、これにより、回転部分２１６ｂの回転の阻止する。
【００５８】
ピン３１９を溝孔３２１から取り外すため、玉軸受３２７を孔内で上方に押し上げる細長いネック２２６を有する特別な制御キーを使用する。このネック２２６は回転部分２１６ｂから離脱させるようピン３１９を押し出し、回転部分２１６ｂの回転を可能にし、突耳２１７を引っ込せまることができる。玉軸受３２７は溝孔３２１の側に掛合し、従って、制御キーによりシェルの回転部分２１６ｂを回転させることができる。
【００５９】
図２０〜図２１に示す第２の実施例のキーは、第１の実施例のキー１８と同様のものとし、しかし、ハウジング２２２の外形に主な違いがある。ハウジング２２２内に、バッテリ２２８、コンデンサ２３１、バッテリばね２３０、及びプリント回路板２３２を収容する。このプリント回路板には、マイクロプロセッサ、ＬＥＤ２３６、ビーパー２３８を取り付ける。キー２１８とロック２１２との間に、ハウジングから電気的に絶縁したキーピン２４０を介して電気的接触を生ずる。コイルばね２４４はピン２４０を前方にロック２１２に掛合するよう押圧する。キーピン２４０は、マイクロプロセッサ及びバッテリ２２８電気的に接続する。
【００６０】
キー２１８は、シリンダ２１４の前面に掛合するよう挿入するネック２２６を有する。ネック２２６の一方の側面に玉軸受３２６を収容する窪み２２７を設ける。ネック２２６は３個の丸い突部２２９を有し、これら突部は対応のピン２４０の周囲に適合する円弧形状にする。ネック２２６の外形はシリンダ２１４の鼻状部２６７の周囲の溝３２０に対応させ、ネック２２６が鼻状部２６７を掴み、キー２１８によりシリンダ２１４にトルクを加えることができるようにする。
【００６１】
［キー及びロック交信］
次に、図１〜図９の実施例を参照して、キー及びロックの通信について説明すると、キー１８及びロック１２はキーピン４０及び電気接点７２を介して交信する。図１２につき説明すると、キー１８は、マイクロプロセッサ１３２と、このマイクロプロセッサ１３２に接続した電子的に消去可能かつプログラム可能なリード・オンリー・メモリ（ＥＥＰＲＯＭ）メモリ１３４とを有する。正確には、マイクロプロセッサ１３２及び関連のメモリ１３４はコンピュータ装置を構成する。本発明に使用するコンピュータ装置は、マイクロプロセッサ単独のものであろうと、又は他のプロセッサ及び／又はメモリ装置と組み合わせたものであろうと任意の装置とすることができ、読み取り、書き込み、削除、記憶、及び／又はキー認識コード、パスワード、及び他のデータに関連する情報の比較といった機能を行なうものとする。キー１８には、更に、随意的に、ＬＥＤ３６、ビーパ(beeper)３８、バッテリ２８、及びクロック１３６を設ける。
【００６２】
ロック１２には、やはりマイクロプロセッサ１３８と、このマイクロプロセッサ１３８に関連したＥＥＰＲＯＭの形式のメモリ１４０を設ける。キーと同様に、マイクロプロセッサ１３８及び関連のメモリ１４０はコンピュータ装置を構成する。電力及び交信はロックのマイクロプロセッサ１３８に対して各個のピン４０及び接点７２を経る単一のラインにより供給される。電力がダイオード１４２及びフィルタコンデンサ１４４を通過してマイクロプロセッサ１３８に達する。ロックには、やはり、随意にＬＥＤ、ビーパ(beeper)、及び／又はクロックを設ける。
【００６３】
操作にあたり、キーのマイクロプロセッサ１３２及びロックのマイクロプロセッサ１３８はロック１２を解錠できるように互いに交信する。ある実施例では、キーのマイクロプロセッサ１３２及びロックのマイクロプロセッサ１３８の双方にそれぞれ、パスワード、キー認識コード、及びロック認識コードを記憶することができるようにする。キー１８及びロック１２の各々には、ユニークな認識コードを持たせる。これらの認識コードは、キー１８又はロック１２を製造するとき、それぞれのマイクロプロセッサにおいてプログラムしておく。図１３及び図１４につき説明すると、キー１８がロック１２に掛合するとき、キー１８は電力をロックのマイクロプロセッサ１３８に配給する。ロックのマイクロプロセッサ１３８が安定化した後、ロックのマイクロプロセッサ１３８はハンドシェイク信号をキーのマイクロプロセッサ１３２に送り出す。キーのマイクロプロセッサ１３２はハンドシェイク信号をロックのマイクロプロセッサ１３８に送り返す。このとき、ロックのマイクロプロセッサ１３８は認識コードに対応する信号をキーのマイクロプロセッサ１３２に送る。次に、キーのマイクロプロセッサ１３２はキーの認識コード及びパスワードをロックのマイクロプロセッサ１３８に送る。ロックのマイクロプロセッサ１３８は、キーの認識コードがロック１２を解錠するよう認証されているものであるか否か、またパスワードが適正であるか否かを決定する。正しければ、ロックのマイクロプロセッサ１３８はキーのマイクロプロセッサ１３２に信号を送り、この信号に応答して、一方のピン４０及び接点７０を経てバッテリ２８からソレノイド８０に電力を供給してロック１２を解錠する。
【００６４】
キーのマイクロプロセッサ１３２及びロックのマイクロプロセッサ１３８の双方は、それぞれに対応するメモリ１３４，１４０内に、キー１８及びロック１２に関して発生する動作を記憶する。このように、ロックのメモリ１４０には、ロック１２を解錠しようとした各キー１８、解錠行為を行なった時間、供給されたパスワード、及び／又はロックが解錠されたか否かを表わすデータを格納する。同様に、各キー１８は、メモリ１３４に、アクセスしたロック１２、ロック１２に供給したパスワード、ロック１２にアクセスした時間、及び／又はロック１２が解錠したか否かについて格納する。キーのマイクロプロセッサ１３２及びロックのマイクロプロセッサ１３８は、プログラミング装置、例えば、３ＣＯＭ（登録商標）社から販売されている「Palm Pailot（商標名）」を使用してプログラムすることができる。データはＲＳ２３２Ｃ準拠ケーブルを介して交信するか、デジタル情報を伝送する他の任意の標準方法を使用して伝達する。
【００６５】
この装置は、マルチアクセスレベルを使用する設計とすることもできる。従って、あるキーは、限定数のロックを解錠することにのみ認証され、他のキーはすべてのキーを解錠するマスターキーとすることができる。
【００６６】
電子ロック装置１０はＬＥＤを有し、このＬＥＤを使用してロック１２又はキー１８の状態を表示し、例えば、認証されたキーを検出したこと、及びロック１２が解錠したこと、又はバッテリ電源の残量が少ないことを示すようにする。電子ロック装置１０は、更に、ビーパ(beeper)を設け、キー１８及び／又はロック１２の状態を交信するようにする。例えば、マスターキーを検出したとき、認証されたキーを検出したとき、キーコードがメモリの認証キーコードに追加されたとき、及び／又はキー認証コードがロックのメモリから削除されたときを交信するのに使用する。ビーパは、先ず、認証されたキーを使用せずにロック１２を解錠しようとする試みがあったときにアラーム音を発生するのにも使用する。
【００６７】
上述の同一機能は、第２の実施例のロック２１２でも用意し、第１の実施例で説明したのと同様に実現できるが、これに限定されるものではない。
【００６８】
上述の記載の用語及び表現は、説明上のものとして使用し、従って、これに限定されることなく、使用した用語及び表現は、図示の及び説明した特徴又は部分に等価のものを排除することを意図するものではなく、本発明の範囲は特許請求の範囲によってのみ限定及び制限されるものと理解されたい。
【図面の簡単な説明】
【００６９】
【図１】本発明によるロックの実施例の斜視図である。
【図２】キーの実施例の斜視図である。
【図３】キーを差し込んだコアの実施例の斜視図である。
【図４】ロックの組立体の分解斜視図である。
【図５】シリンダの組立体の実施例の分解斜視図である。
【図６】図１のロックのシリンダを縦方向ラインに沿って２等分割した断面図である。
【図７】図６の７‐７線上の断面図である。
【図８】図６の８‐８線上の断面図である。
【図９】電子ロックが解錠した点を除いて図６と同様の断面図である。
【図９Ａ】キー保持機構の詳細図である。
【図１０】大きな力がロックの表面に加わった点を除いて図６と同様の断面図である。
【図１１】キーの組立体の実施例の分解斜視図である。
【図１２】キー及びロックの実施例の電気的コンポーネントのブロック図である。
【図１３】ロックインターフェイスのフローチャートである。
【図１４】キーインターフェイスのフローチャートである。
【図１５】本発明ロックの第２実施例の斜視図である。
【図１６】図１５のロックの組立体を示す図である。
【図１７】図１５のロックのシリンダの平面図である。
【図１８】図１７の１８‐１８線上の断面図である。
【図１９】図１７の１９‐１９線上の断面図である。
【図２０】図１５のロックに使用するキーの実施例の斜視図である。
【図２１】図２０のキーの組立体を示す図である。
【図１２】
2004521200.tif 000003
【図１３】
2004521200.tif 000004
【図１４】
2004521200.tif 000005
【国際公開パンフレット】
2004521200.tif 000006
2004521200.tif 000007
2004521200.tif 000008
2004521200.tif 000009
2004521200.tif 000010
2004521200.tif 000011
2004521200.tif 000012
2004521200.tif 000013
2004521200.tif 000014
2004521200.tif 000015
2004521200.tif 000016
2004521200.tif 000017
2004521200.tif 000018
2004521200.tif 000019
2004521200.tif 000020
2004521200.tif 000021
2004521200.tif 000022
2004521200.tif 000023
2004521200.tif 000024
2004521200.tif 000025
2004521200.tif 000026
2004521200.tif 000027
2004521200.tif 000028
2004521200.tif 000029
2004521200.tif 000030
2004521200.tif 000031
2004521200.tif 000032
2004521200.tif 000033
2004521200.tif 000034
2004521200.tif 000035
2004521200.tif 000036
2004521200.tif 000037
2004521200.tif 000038
2004521200.tif 000039
2004521200.tif 000040
2004521200.tif 000041
2004521200.tif 000042
2004521200.tif 000043
2004521200.tif 000044
2004521200.tif 000045
2004521200.tif 000046
2004521200.tif 000047
2004521200.tif 000048
2004521200.tif 000049
2004521200.tif 000050
2004521200.tif 000051
2004521200.tif 000052
【国際調査報告】
2004521200.tif 000053